(57)【要約】【課題】スクリーンと昇降コードとの組み付け作業やスクリーンの交換作業が容易なプリーツスクリーンを提供する。【解決手段】ヘッドボックス１２０に固定されて昇降コード１４０により昇降可能であり、上下方向に複数のプリーツが形成された第１スクリーン１３１と、ヘッドボックスに固定されて昇降コードにより昇降可能であり、上下方向に前記第１スクリーンと同じ間隔で複数のプリーツが形成された第２スクリーン１３２と、を備え、第２スクリーンは、第１スクリーンよりも幅が狭く、全域にわたって第１スクリーンとラップした状態で設けられ、第１スクリーン及び第２スクリーンの各プリーツには昇降コードが順次挿通する挿通孔１３１ａ、１３２ａがそれぞれ設けられており、第２スクリーンの各プリーツには、プリーツの谷部を横断して上下方向に隣合う挿通孔を連通するスリット１３２ｃが形成される。【選択図】図１
2015206191.tif 000002
【特許請求の範囲】
【請求項１】
ヘッドボックス（１２０）に固定されて昇降コード（１４０）により昇降可能であり、上下方向に複数のプリーツが形成された第１スクリーン（１３１）と、
前記ヘッドボックスに固定されて前記昇降コードにより昇降可能であり、上下方向に前記第１スクリーンと同じ間隔で複数のプリーツが形成された第２スクリーン（１３２）と、
を備え、
前記第２スクリーンは、前記第１スクリーンよりも幅が狭く、全域にわたって前記第１スクリーンとラップした状態で設けられ、
前記第１スクリーン及び前記第２スクリーンの前記各プリーツには前記昇降コードが順次挿通する挿通孔（１３１ａ、１３２ａ）がそれぞれ設けられており、
前記第１スクリーン及び前記第２スクリーンのうち少なくとも第２スクリーンの前記各プリーツには、プリーツの谷部を横断して上下方向に隣合う前記挿通孔を連通するスリット（１３１ｄ、１３２ｃ）がそれぞれ形成されることを特徴とする、プリーツスクリーン。
【請求項２】
ヘッドボックス（１２０）に固定されて昇降コード（１４０）により昇降可能であり、上下方向に複数のプリーツが形成されたスクリーン（１３１）を備え、
前記スクリーンの前記各プリーツには前記昇降コードが順次挿通する挿通孔（１３１ａ）がそれぞれ設けられており、
前記スクリーンの前記各プリーツには、プリーツの谷部を横断して上下方向に隣合う前記挿通孔を連通するスリット（１３１ｄ）がそれぞれ形成されることを特徴とする、プリーツスクリーン。
【請求項３】
前記スリットは、前記プリーツの谷と直交しない直線部分（１３２ｃ−１）、又は曲線部分（１３２ｃ−２）を有していることを特徴とする、請求項１又は２に記載のプリーツスクリーン。
【発明の詳細な説明】
【技術分野】
【０００１】
本発明は、上下方向に複数のプリーツが設けられたスクリーンを備えたプリーツスクリーンに関する。
【背景技術】
【０００２】
プリーツの間隔が互いに同じである複数のスクリーンの側端部同士をラップさせて、所望の大きさのスクリーン幅になるようにしたプリーツスクリーンが知られている（例えば、特許文献１参照）。このプリーツスクリーンでは、ラップさせるスクリーンの数によって、幅の異なるスクリーンを構成したり、異なる色や柄のスクリーンを組み合わせて、種々の柄模様の縦ストライプを有するスクリーンを構成して、意匠性を向上させたりしている。
【０００３】
このようなプリーツスクリーンでは、スクリーン同士がラップした部分のそれぞれの各プリーツに挿通孔がそれぞれ形成されており、ラップさせた状態で各挿通孔に昇降コードを順次挿通させている。そして、昇降コードを昇降させることにより、各スクリーンが一体に昇降されるようになっている。
【先行技術文献】
【特許文献】
【０００４】
【特許文献１】特公昭５４−９８３０号公報
【発明の概要】
【発明が解決しようとする課題】
【０００５】
ところで、特許文献１に示されるものでは、スクリーンと昇降コードとを組み付ける際には、各スクリーンの挿通孔に順次昇降コードを挿通させる作業が必要であり、組み付け作業が煩瑣であるという問題があった。
【０００６】
また、スクリーンを交換する際には、まず、スクリーンの下端に設けられている下部レールと昇降コードとの連結を解除した後、次に、各スクリーンの挿通孔から昇降コードを順次引き抜いた上で、新しいスクリーンの各挿通孔に昇降コードを順次挿通させるという作業が行われる。このように、スクリーンを交換したりするにあたって、昇降のための機構の一部を分解したり、スクリーンの各挿通孔に昇降コードを順次挿通させたりする作業が必要になるなど、ユーザー自身がスクリーンを交換するのは困難であるという問題があった。
【０００７】
そこで、本発明は、このような問題に鑑みてなされたもので、その目的とするところは、スクリーンと昇降コードとの組み付け作業やスクリーンの交換作業が容易なプリーツスクリーンを提供することにある。
【課題を解決するための手段】
【０００８】
上記課題を解決するために、本発明によれば、ヘッドボックスに固定されて昇降コードにより昇降可能であり、上下方向に複数のプリーツが形成された第１スクリーンと、前記ヘッドボックスに固定されて前記昇降コードにより昇降可能であり、上下方向に前記第１スクリーンと同じ間隔で複数のプリーツが形成された第２スクリーンと、を備え、前記第２スクリーンは、前記第１スクリーンよりも幅が狭く、全域にわたって前記第１スクリーンとラップした状態で設けられ、前記第１スクリーン及び前記第２スクリーンの前記各プリーツには前記昇降コードが順次挿通する挿通孔がそれぞれ設けられており、前記第１スクリーン及び前記第２スクリーンのうち少なくとも第２スクリーンの前記各プリーツには、プリーツの谷部を横断して上下方向に隣合う前記挿通孔を連通するスリットがそれぞれ形成されることを特徴とするプリーツスクリーンが提供される。
【０００９】
かかる発明によれば、スリットから昇降コードを差し込むことにより、スリットによって連通された挿通孔に昇降コードを挿通することができるため、スクリーンの組み付け作業や交換作業が容易になる。
【００１０】
また、第1スクリーンの前面に第２スクリーンを配置する場合、第２スクリーンのスリットを介して第２スクリーンのみを昇降コードから着脱することができるため、ユーザーの好みに応じた第２スクリーンを後から容易に取り付けることができる。
【００１１】
また、本発明によれば、ヘッドボックスに固定されて昇降コードにより昇降可能であり、上下方向に複数のプリーツが形成されたスクリーンを備え、前記スクリーンの前記各プリーツには前記昇降コードが順次挿通する挿通孔がそれぞれ設けられており、前記スクリーンの前記各プリーツには、プリーツの谷部を横断して上下方向に隣合う前記挿通孔を連通するスリットがそれぞれ形成されることを特徴とするプリーツスクリーンが提供される。
【００１２】
かかる発明によれば、スリットから昇降コードを差し込むことにより、スリットによって連通された挿通孔に昇降コードを挿通することができるため、スクリーンの組み付け作業や交換作業が容易になる。
【００１３】
また、上述の構成において更に、スリットは、プリーツの谷と直交しない直線部分、又は曲線部分を有していてもよい。これにより、スリットの一部あるいは全部の位置とプリーツの谷と直交するように垂下する昇降コードの位置との間に重なり合わない部分が構成される。このため、スクリーン昇降時に昇降コードが前後左右に揺れても、昇降コードがスリットを通過することができず、スリットを介してスクリーンが昇降コードから脱落することを防止することができる。
【発明の効果】
【００１４】
本発明によれば、プリーツの谷部を横断して、各プリーツに形成された上下方向に隣合う挿通孔を連通するスリットをそれぞれ各プリーツに形成することにより、スリットから昇降コードを差し込むことによって、スリットによって連通された挿通孔に昇降コードを挿通することができるため、スクリーンの組み付け作業や交換作業が容易になる。
本発明のその他の効果については、以下の発明を実施するための形態の項でも説明する。
【図面の簡単な説明】
【００１５】
【図１】本発明の第１の実施形態にかかるプリーツスクリーンの正面図である。
【図２】図１の背面図である。
【図３】プリーツスクリーンの部分側断面図である。
【図４】第２スクリーン付近の部分斜視図である。
【図５】第２スクリーン付近の部分正面図である。
【図６】第２スクリーンを組み付ける手順を示す図である。
【図７】第２スクリーンを組み付ける手順を示す図である。
【図８】第２スクリーンを組み付ける手順を示す図である。
【図９】第２スクリーンを組み付ける手順を示す図である。
【図１０】第２スクリーンを組み付ける手順を示す図である。
【図１１】第２スクリーンを組み付ける手順を示す図である。
【図１２】第２の実施形態にかかる第２スクリーン付近の部分正面図である。
【図１３】第３の実施形態にかかる第２スクリーン付近の部分正面図である。
【図１４】第４の実施形態にかかるプリーツスクリーンの正面図である。
【図１５】第５の実施形態にかかるプリーツスクリーンの正面図である。
【図１６】第６の実施形態にかかるプリーツスクリーンの正面図である。
【図１７】図１６の背面図である。
【図１８】第６の実施形態に係るプリーツスクリーンの第１スクリーンを組み付ける手順を示す図である。
【図１９】第６の実施形態に係るプリーツスクリーンの第１スクリーンを組み付ける手順を示す図である。
【発明を実施するための形態】
【００１６】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１７】
（第１の実施形態）
第１の実施形態にかかるプリーツスクリーンについて、図１〜図１1を参照しながら説明する。図１は、プリーツスクリーンの正面図である。図２は、図１の背面図である。図３は、プリーツスクリーンの部分断面図である。図４は、第２スクリーンの部分斜視図である。図５は、第２スクリーンの部分正面図である。図６〜図１１は、第２スクリーンを組み付ける手順を示す図である。
【００１８】
まず、図１及び図２を参照しながら、本実施形態にかかるプリーツスクリーン１００の構成を説明する。プリーツスクリーン１００は、図１及び図２に示したように、ブラケット１１０により図示していない窓枠等に固定されるヘッドボックス１２０と、ヘッドボックス１２０に上端が連結されるスクリーン１３０と、スクリーン１３０の畳み込み、及び展開を行う昇降コード１４０、１４０と、スクリーン１３０の下端に連結されるボトムレール１５０と、スクリーン１３０の各プリーツのピッチを等間隔に保持するピッチコード１６０と、スクリーン１３０が畳み込まれた際に、スクリーン１３０の畳み代を補正する、図２に示した補正部材１７０と、を備えて構成される。以下、プリーツスクリーン１００の各構成について詳細に説明する。
【００１９】
（ヘッドボックス１２０）
ヘッドボックス１２０は、図１及び図２に示すように、長尺な直方体状に構成されており、そのほぼ全長にわたってスクリーン１３０の上端部が連結される。また、ヘッドボックス１２０の一端には昇降コード１４０、１４０の移動を拘束するストッパ１２１が設けられている。さらに、ヘッドボックス１２０の一端の正面には、ヘッドボックス１２０から外部に導出される昇降コード１４０、１４０が挿通する導出口１２２が形成されている。また、ヘッドボックス１２０の下部には、長手方向全長にわたって、図３に示すように、スクリーン１３０及び昇降コード１４０、１４０が導出される開口部１２３と、開口部１２３を介してつば部１２０ａ、１２０ａがそれぞれ形成されている。
【００２０】
（スクリーン１３０）
スクリーン１３０は、図１及び図２に示すように、ヘッドボックス１２０の長手方向ほぼ全長にわたる大きさの第１スクリーン１３１と、第１スクリーン１３１よりも幅が狭い第２スクリーン１３２と、を備えて構成される。第１及び第２スクリーン１３１、１３２は、図３及び図４に示すように、上下方向に複数のプリーツが設けられており、プリーツの間隔が互いに同じ大きさに設定されている。第１スクリーン１３１には、幅方向２か所に昇降コード１４０、１４０が順次挿通する挿通孔１３１ａ、１３１ａがそれぞれ形成されている。一方、第２スクリーン１３２には、幅方向１か所に昇降コード１４０が順次挿通する挿通孔１３２ａが形成されており、第２スクリーン１３２の挿通孔１３２ａと第１スクリーン１３１の一方の挿通孔１３１ａとは重なり合うように配設されている。
【００２１】
第２スクリーン１３２の各プリーツには、図５に示すように、プリーツの谷部１３２ｂを横断して上下方向に隣合う挿通孔１３２ａ、１３２ａを連通するスリット１３２ｃがそれぞれ形成されている。各スリット１３２ｃは、プリーツの谷部１３２ｂと直交する直線状に形成されている。
【００２２】
第１、第２スクリーン１３１、１３２はヘッドボックス１２０に以下のように連結されている。すなわち、第１スクリーンの上端１３１ｂは、図３に示すように、スクリーン取付けプレート１８０に巻き付けられており、スクリーン取付けプレート１８０がヘッドボックス１２０内から開口部１２３を塞ぐようにつば部１２０ａ、１２０ａに係止されることによってヘッドボックス１２０に連結されている。そして、第１スクリーン１３１の下端側はヘッドボックス１２０の開口部１２３から導出されている。また、スクリーン取付けプレート１８０には、昇降コード１４０が挿通する挿通孔１８０ａが形成されており、この挿通孔１８０ａに対応する位置に第１スクリーンの上端１３１ｂにも昇降コード１４０が挿通する挿通孔１３１ｂ−１が形成されている。第２スクリーンの上端１３２ｄは、図３に示すように、スクリーン取付けプレート１８０とヘッドボックス１２０のつば部１２０ａとの間に挿入されることにより、ヘッドボックス１２０に連結されている。第２スクリーン１３２の幅方向の一端部と第１スクリーン１３１の幅方向の一端部の位置が揃うように、第２スクリーン１３２の全域が第１スクリーン１３１の正面にラップしている。
【００２３】
（昇降コード１４０）
昇降コード１４０、１４０は、図１及び図２に示すように、スクリーン１３０の幅方向２か所に設けられており、一方の昇降コード１４０は第１スクリーン１３１のみを挿通している。そして、他方の昇降コード１４０は第１スクリーン１３１と第２スクリーン１３２とを一体的に挿通している。
【００２４】
昇降コード１４０、１４０は、一端がボトムレール１５０に連結されており、一方の昇降コード１４０の他端が、第１スクリーン１３１の各挿通孔１３１ａ、スクリーン取付けプレート１８０の挿通孔１８０ａ、及び第１スクリーンの上端１３１ｂの挿通孔１３１ｂ−１をそれぞれ挿通してヘッドボックス１２０内に導入される。また、他方の昇降コード１４０の他端は、図３及び図４に示すように、第１スクリーン１３１及び第２スクリーン１３２の各挿通孔１３１ａ、１３２ｂを挿通してヘッドボックス１２０内に導入される。両昇降コード１４０、１４０は、ヘッドボックス１２０内を長手方向に配回され、ストッパ１２１を介して開口１２２から外部にそれぞれ導出されて、つまみ１４３に連結される。つまみ１４３には補助コード１４４の一端が連結されており、補助コード１４４の他端はボトムレール１５０の一端に連結される。つまみ１４３や補助コード１４４を操作することにより、両昇降コード１４０、１４０が一体的に操作される。
【００２５】
ピッチコード１６０、１６０は、図２及び図３に示されるように、スクリーン１３０の幅方向において両昇降コード１４０、１４０と重なり合う位置に配設されており、一端がヘッドボックス１２０に連結されている。そして、ヘッドボックス１２０から導出された両ピッチコード１６０、１６０は、スクリーン１３０の各プリーツのピッチが等間隔になるように各プリーツを背面側から保持しており、両ピッチコード１６０、１６０の他端はボトムレール１５０に連結されている。
【００２６】
次に、本実施形態にかかるプリーツスクリーン１００の第２スクリーン１３２の取り付け方法について、図６〜図１１を参照しながら説明する。
【００２７】
まず、図６及び図７に示すように、第２スクリーン１３２を第１スクリーン１３１に対して位置合わせをする。ここでいう位置合わせとは、第１スクリーン１３１の幅方向の一端部と第２スクリーン１３２の幅方向の一端部の位置を揃えるとともに、第２スクリーン１３２の挿通孔１３２ａと第１スクリーン１３１の一方の挿通孔１３１ａとを重なり合う位置に配置するということである。このように配置することにより、第２スクリーンのスリット１３２ｃの位置と昇降コード１４０の位置とが一致する。このように配置した第２スクリーン１３２を図６中矢印Ａで示すように昇降コード１４０に接近させる。
【００２８】
次に、図８に示すように、第２スクリーン１３２を下端側のプリーツから上端側のプリーツに向かって順に昇降コード１４０に組み付けていく。第２スクリーン１３２の昇降コード１４０への組み付けは、第２スクリーン１３２のプリーツの谷部１３２ｂからスリット１３２ｃに昇降コード１４０を挿入させた後、図９に示すように、昇降コード１４０が挿通孔１３２ａに挿通する位置まで、第２スクリーン１３２を挿入させていくという作業を第２スクリーン１３２の下端側のプリーツから上端側のプリーツに向かって順に繰り返すことによって行われる。昇降コード１４０が挿通孔１３２ａに挿通する位置まで第２スクリーン１３２を挿入させると、図１０に示すように、第２スクリーン１３２は第１スクリーン１３１の正面に重なり合った状態となる。
【００２９】
図１１に示すように、第２スクリーン１３２の最上段のプリーツまで昇降コード１４０に組み付けた後、図中矢印Ａで示すように、第２スクリーンの上端１３２ｄをスクリーン取付けプレート１８０とヘッドボックス１２０の一方のつば部１２０ａとの間に差し込む。これにより、第２スクリーンの上端１３２ｄがヘッドボックス１２０に連結される。
【００３０】
以上説明したように、本実施形態によれば、第２スクリーン１３２のプリーツの谷部１３２ｂからスリット１３２ｃに昇降コード１４０を挿入させることにより、スリット１３２ｃによって連通された挿通孔１３２ａ、１３２ａに昇降コード１４０を挿通させることができる。よって、あらかじめヘッドボックス１２０、第１スクリーン１３１、ボトムレール１５０などとの組み付けが終了している昇降コード１４０に、これらを解体することなく第２スクリーン１３２を組み付けることができる。このように、第２スクリーン１３２の組み付け作業が容易になるため、ユーザーの好みに応じて第１スクリーン１３１のみのブラインドに第２スクリーン１３２を後から取り付けたり、模様替え、汚染や破損など、必要に応じて第２スクリーン１３２を容易に交換したりすることができる。
【００３１】
（第２の実施形態）
次に、第２の実施形態にかかるプリーツスクリーンについて、図１２を参照しながら説明する。本実施形態は、第２スクリーン１３２に形成されるスリット１３２ｃの形状に特徴を有するものであり、本実施形態では、スリット１３２ｃの形状についてのみ説明することとし、その他の部分については、上記第１の実施形態と同様であるため、重複説明を省略する。
【００３２】
本実施形態のスリット１３２ｃは、スリット１３２ｃ全体がスリット１３２ｃを介して第２スクリーン１３２が昇降コード１４０から脱落することを防止する脱落防止形状となっている。具体的には、図１２に示すように、スリット１３２ｃは、プリーツの谷部１３２ｂに直交しない２本の斜めの直線部１３２ｃ−１、１３２ｃ−１によって構成される略「く」の字状に形成されており、略「く」の字の両端部が挿通孔１３２ａ、１３２ａにそれぞれ連通し、略「く」の字の屈曲部がプリーツの谷部１３２ｂに位置している。
【００３３】
本実施形態の第２スクリーン１３２も第１の実施形態のものと同様に昇降コード１４０に組み付けることができる。そして、第２スクリーン１３２と昇降コード１４０とを組み付けた状態において、プリーツの谷部１３２ｂと直交するように垂下する昇降コード１４０の位置とスリット１３２ｃの斜めの直線部１３２ｃ−１、１３２ｃ−１の位置とが重ならない状態になる。
【００３４】
これにより、スクリーン昇降時に第２スクリーン１３２と昇降コード１４０との間の相対変位によって、スリット１３２ｃが昇降コード１４０側に寄っても、昇降コード１４０の移動が斜めの直線部１３２ｃ−１、１３２ｃ−１によって規制される。これにより、スリット１３２ｃを介して第２スクリーン１３２が昇降コード１４０から脱落することを防止することができる。
【００３５】
以上説明したように、本実施形態よれば、スリット１３２ｃの形状を脱落防止形状である略「く」の字状としたことにより、スクリーン昇降時に第２スクリーン１３２と昇降コード１４０との間に相対変位が生じても、スリット１３２ｃを介して第２スクリーン１３２が昇降コード１４０から脱落することを防止することができる。
【００３６】
なお、スリット１３２ｃの形状は、プリーツの谷部１３２ｂに直交しない部分を備えた形状であれば、円弧状やコ字状など様々な形状とすることができる。
【００３７】
（第３の実施形態）
次に、第３の実施形態にかかるプリーツスクリーンについて、図１３を参照しながら説明する。本実施形態は、第２スクリーン１３２に形成されるスリット１３２ｃの形状に特徴を有するものであり、本実施形態では、スリット１３２ｃの形状についてのみ説明することとし、その他の部分については、上記第１の実施形態と同様であるため、重複説明を省略する。
【００３８】
本実施形態のスリット１３２ｃは、その一部に脱落防止形状を備えている。具体的には、図１３に示すように、第１の実施形態に示される直線状のスリット１３２ｃにおいて、プリーツの谷部１３２ｂ近傍部分のみ谷部１３２ｂと直交しないよう円弧状に形成した脱落防止形状である迂回部１３２ｃ−２を設けたものである。本実施形態の第２スクリーン１３２も第１の実施形態のものと同様に昇降コード１４０に組み付けることができる。そして、第２スクリーン１３２と昇降コード１４０とを組み付けた状態において、プリーツの谷部１３２ｂと直交するように垂下する昇降コード１４０の位置とスリット１３２の迂回部１３２ｃ−２の位置とが重ならない状態になる。
【００３９】
これにより、スクリーン昇降時に第２スクリーン１３２と昇降コード１４０との間の相対変位によって、スリット１３２ｃが昇降コード１４０側に寄っても、昇降コード１４０の移動が迂回部１３２ｃ−２によって規制されるため、スリット１３２ｃを介して第２スクリーン１３２が昇降コード１４０から脱落することを防止することができる。
【００４０】
以上説明したように、本実施形態よれば、スリット１３２ｃの一部に脱落防止形状である迂回部１３２ｃ−２を設けたことにより、スクリーン昇降時に第２スクリーン１３２と昇降コード１４０との間に相対変位が生じても、スリット１３２ｃを介して第２スクリーン１３２が昇降コード１４０から脱落することを防止することができる。
【００４１】
なお、スリット１３２ｃの迂回部１３２ｃ−２の形状は、略コ字状や略「く」の字状など様々な形状とすることができる。
【００４２】
（第４の実施形態）
次に、第４の実施形態を、図１４を参照しながら説明する。本実施形態は、２枚の第２スクリーン１３２を第１スクリーン１３１の左右両側にそれぞれ配置することを特徴とするものである。２枚の第２スクリーン１３２、１３２の挿通孔１３２ａ及びスリット１３２ｃは、互いに左右対称に設けられており、左右の第２スクリーン１３２、１３２の挿通孔１３２ａ、１３２ａには左右の昇降コード１４０、１４０がそれぞれ挿通されている。左右の第２スクリーン１３２、１３２の左右の昇降コード１４０、１４０への組み付けは、第１の実施形態と同様に行われる。その他の部分については、上記第１の実施形態と同様であるため、重複説明を省略する。
【００４３】
このように、本実施形態によれば、第１スクリーン１３１の左右片側のみならず両側に第２スクリーン１３２、１３２を配置することもできるため、ユーザーの多様な好みに対応することができる。
【００４４】
（第５の実施形態）
次に、第５の実施形態を、図１５を参照しながら説明する。本実施形態は、第２スクリーン１３２を第１スクリーン１３１の中央に配置することを特徴とするものであり、第２スクリーン１３２の左右両側部に挿通孔１３２ａ及びスリット１３２ｃをそれぞれ設け、左右両側部の挿通孔１３２ａ、１３２ａに左右の昇降コード１４０、１４０をそれぞれ挿通させている。第２スクリーン１３２の左右の昇降コード１４０、１４０への組み付けは、第１の実施形態と同様に行われる。その他の部分については、上記第１の実施形態と同様であるため、重複説明を省略する。
【００４５】
このように、本実施形態によれば、第１スクリーン１３１の中央に第２スクリーン１３２を配置することもできるため、ユーザーの多様な好みに対応することができる。
【００４６】
（第６の実施形態）
次に、第６の実施形態を、図１６及び図１７を参照しながら説明する。本実施形態は、第１〜第５の実施形態とは異なり、第２スクリーン１３２を設けず、第１スクリーン１３１のみでプリーツスクリーン１００を構成する仕様であり、本実施形態は、第１スクリーン１３１自体にスリットを設けて昇降コード１４０に対して着脱自在としたことを特徴とする。本実施形態では、第１スクリーン１３１の形状及び昇降コード１４０に対する組み付け方法についてのみ説明することとし、その他の部分については、上記第１の実施形態と同様であるため、重複説明を省略する。なお、本実施形態では、第２スクリーン１３２について言及しないが、第２スクリーン１３２を設ける場合は、第１の実施形態と同様に第１スクリーン１３１を組み付けた後、組み付けるものとする。
【００４７】
第１スクリーン１３１の各プリーツには、図１６及び図１７に示すように、プリーツの谷部１３１ｃを横断して上下方向に隣合う挿通孔１３１ａ、１３１ａを連通するスリット１３１ｄがそれぞれ形成されている。各スリット１３１ｄは、プリーツの谷部１３１ｃと直交する直線状に形成されている。
【００４８】
また、第１スクリーン１３１の上端部をヘッドボックスに連結するスクリーン取付けプレート１８０にも昇降コード１４０を挿通させるためのスリット１８０ｂが設けられており、このスリット１８０ｂと対応する位置に第１スクリーン１３１の上端部１３１ｂにもスリット１３１ｄが設けられている。
【００４９】
次に、本実施形態にかかる第１スクリーン１３１のヘッドボックス１２０及び昇降コード１４０への組み付け方法について、図１８及び図１９を参照しながら説明する。
【００５０】
まず、図１８に示すように、第１スクリーン１３１を昇降コード１４０に対して位置合わせをする。ここでいう位置合わせとは、第１スクリーンの上端１３１ｂが巻き付けられたスクリーン取付けプレート１８０の位置をヘッドボックス１２０の下部の位置に一致させるとともに、第１スクリーン１３１のプリーツのピッチ間にピッチコード１６０が挿入されるようにし、さらに、第１スクリーン１３１の挿通孔１３１ａの位置と昇降コード１４０の位置とが重なり合うように配置するということである。このように配置した第１スクリーン１３２を図１８中矢印Ａで示すようにヘッドボックス１２０及び昇降コード１４０に組み付ける。
【００５１】
より詳細には、まず、スクリーン取付けプレート１８０のスリット１８０ｂに昇降コード１４０を挿入させるとともに、スクリーン取付けプレート１８０を開口部１２３からヘッドボックス１２０内に挿入して、図１９に示すように、開口部１２３を塞ぐようにスクリーン取付けプレート１８０の両縁部をつば部１２０ａ、１２０ａに係止させる。これにより、第１スクリーン１３１の上端がヘッドボックス１２０に連結される。
【００５２】
次に、第１スクリーン１３１のプリーツの谷部１３１ｃからスリット１３１ｄに昇降コード１４０を挿入させた後、昇降コード１４０が挿通孔１３１ａに挿通する位置までさらに挿入させていく。この作業を全てのプリーツにおいて繰り返すことによって、図１９に示すように、第１スクリーン１３１が昇降コード１４０に組み付けられる。
【００５３】
以上、本実施形態によれば、第１スクリーン１３１のプリーツの谷部１３１ｃからスリット１３１ｄに昇降コード１４０を挿入させることにより、スリット１３１ｄによって連通された挿通孔１３１ａ、１３１ａに昇降コード１４０を挿通させることができるため、第１スクリーン１３１の組み付け作業や交換作業が容易になる。よって、プリーツスクリーン１００の組み立て作業が容易になり、製造効率が向上するとともに、ユーザーの好みに応じて、あるいは、汚染や破損など必要に応じて、第１スクリーン１３１を容易に交換することができる。
【００５４】
なお、本実施形態におけるスリット１３１ｄを、第２〜第５の実施形態と同様の脱落防止形状を備えたものとしてもよい。すなわち、スリット１３１ｄの全体又は一部をプリーツの谷部１３１ｃに直交しない部分を備えた、例えば、略「く」の字状、円弧状、コ字状など様々な形状を備えたものとしてもよい。
【００５５】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００５６】
例えば、上記各実施形態において、第１スクリーン１３１の正面に１枚又は２枚の第２スクリーン１３２を設けたが、昇降コード１４０を３本以上設けることによって３枚以上の第２スクリーン１３２を設けることもできる。また、第２スクリーン１３２を複数設ける場合、それぞれの第２スクリーン１３２を異なる柄や種類のものとしてもよい。
【００５７】
また、ヘッドボックス１２０に回転軸と回転軸と一体に回転する複数の巻取ドラムとを設け、回転軸を回転させることにより、各巻取ドラムによって、昇降コード１４０、１４０を巻取り及び巻解くことによってスクリーン１３０を昇降させるようにすることもできる。回転軸は、ヘッドボックス１２０の一端に操作コードを設け、この操作コードによって回転させるようにしてもよい。また、回転軸は、ヘッドボックス１２０内にモータを設け、このモータを駆動させることによって、回転させるようにしてもよい。
【符号の説明】
【００５８】
１２０  ヘッドボックス
１３１  第１スクリーン
１３２  第２スクリーン
１３１ａ、１３２ａ  挿通孔
１３１ｄ、１３２ｃ  スリット
１３２ｃ−１  斜めの直線部（プリーツの谷と直交しない直線部分）
１３２ｃ−２  迂回部（曲線部分）
１４０  昇降コード
【図１】
2015206191.tif 000003
【図２】
2015206191.tif 000004
【図３】
2015206191.tif 000005
【図４】
2015206191.tif 000006
【図５】
2015206191.tif 000007
【図６】
2015206191.tif 000008
【図７】
2015206191.tif 000009
【図８】
2015206191.tif 000010
【図９】
2015206191.tif 000011
【図１０】
2015206191.tif 000012
【図１１】
2015206191.tif 000013
【図１２】
2015206191.tif 000014
【図１３】
2015206191.tif 000015
【図１４】
2015206191.tif 000016
【図１５】
2015206191.tif 000017
【図１６】
2015206191.tif 000018
【図１７】
2015206191.tif 000019
【図１８】
2015206191.tif 000020
【図１９】
2015206191.tif 000021